(57)【特許請求の範囲】
【請求項１】
キャビネットの上にカウンタートップを配置し，該キャビネットの側板に固定されたＬ字金具を介して両部材を固定するように構成されてなるカウンタートップの固定構造において，上記カウンタートップの長手方向下面に２条のリブ突条を形成し，これらリブ突条間に上記Ｌ字金具の長溝に挿通された木螺子を固着することを特徴とするカウンタートップの固定構造。
【発明の詳細な説明】
【０００１】
【発明の属する技術分野】
この発明は、流し台や洗面台等のカウンタートップの固定構造に係り、特に、カウンタートップが人造大理石等の重量物で形成されている場合に好適なカウンタートップの固定構造に関する。
【０００２】
【従来技術とその課題】
従来のこの種のカウンタートップの固定構造としては、例えば、図３乃至図５に示す構造のものが広く用いられている。
【０００３】
図３に示す従来の固定構造では、キャビネットの側板１とカウンタートップ２との接合部に逆Ｌ字型の金具３を木螺子４，４で固定する構造である。尚、図中符合９は裏板である。
【０００４】
また、図４に示す従来の固定構造の場合には、カウンタートップ２の裏面に貼着された裏板にインサートナット５を埋設し、キャビネットの側板１に木螺子４で固定されたＬ字型の金具３に挿通されたボルト６を上記インサートナット５に螺合させることで、キャビネットとカウンタートップ２とを固定するように構成されていた。
【０００５】
しかしながら、上記図３と図４に示す従来の固定構造にあっては、キャビネット１のレイアウトによっては、カウンタートップ２をキャビネット１に固定できない場合もあり、また、カウンタートップ２の裏面に裏板９を貼着しなければならないため、この作業が煩雑でありコスト高となると共に、重量も嵩む、という問題を有していた。
【０００６】
さらに、図５に示す固定構造では、Ｌ字型の金具３を図３と図４とは逆に、その水平面部３ａがカウンタートップ２の裏面から離れた状態でキャビネットの側板１に木螺子４で固定されていると共に、上記金具３の水平面部３ａとカウンタートップ２との間に両面テープ７を介して角材８を介設し、該角材８を木螺子４で上記金具３の水平面部３ａに固定することで、キャビネットとカウンタートップ２とを固定するように構成されていた。
【０００７】
しかしながら、上記図５に示す従来の固定構造にあっては、両面テープ７と角材８を使って固定しなければならないため、この固定作業が非常に煩雑であり、キャビネット１のレイアウトによっては、カウンタートップ２をキャビネット１に固定できない場合もある、という問題を有していた。
【０００８】
この発明は、かかる現状に鑑み創案されたものであって、その目的とするところは、極めて簡単、かつ、容易にキャビネットとカウンタートップとを固定することができるカウンタートップの固定構造を提供しようとするものである。
【０００９】
【課題を解決するための手段】
上記目的を達成するため，この発明にあっては，キャビネットの上にカウンタートップを配置し，該キャビネットの側板に固定されたＬ字金具を介して両部材を固定するように構成されてなるカウンタートップの固定構造において，上記カウンタートップの長手方向下面に２条のリブ突条を形成し，これらリブ突条間に上記Ｌ字金具の長溝に挿通された木螺子を固着することを特徴とするものである。
【００１０】
【発明の実施の形態】
以下、添付図面に示す発明の実施の一形態例に基づき、この発明を詳細に説明する。
【００１１】
図１と図２に示すように、この発明の実施の一形態例に係るカウンタートップの固定構造は、キャビネット１１の両側板（図示例では一方の側板のみを表わしている。）にその垂直片部１３ｂが木螺子１４，１４で固定されたＬ字金具１３を介してカウンタートップ１２が固定される。
【００１２】
上記Ｌ字金具１３の垂直片部１３ｂには、上記木螺子１４，１４が挿入される長孔１５，１５が縦に２条開設されており、また、その水平片部１３ａには、２条の長溝１６，１６が開設されている。
【００１３】
一方、上記カウンタートップ１２の裏面長手方向には、２条のリブ突条１８，１８が突設されており、キャビネット１１の長さ寸法に対応して自由に切断することができるように構成されており、上記リブ突条１８，１８は上記Ｌ字金具１３の水平面部１３ａに開設された長溝１６および／または１６に挿通された木螺子１７，１７を介して固着されている。
【００１４】
このようにカウンタートップ１２の裏面長手方向に２条のリブ突条１８，１８を形成することで、該カウンタートップ１２の補強することができる。
【００１５】
また、上記Ｌ型金具１３は、上記両側板１１だけではなく、例えば、中仕切板等に固定してもよく、このＬ型金具１３でカウンタートップ１２を固定することで、該カウンタートップ１２の反りを防止することができ、また、カウンタートップ１２も平板状のものに限定されるものではなく、平面形状がＬ型のカウンタートップ等の各種カウンタートップにも適用することができる。
【００１６】
この形態例に係る固定構造にあっては、上記したように、カウンタートップ１２をキャビネット１１に載せる前に、予めＬ型金具１３をキャビネット１１の上部開口側から位置決めを行なった後、木螺子１４，１４で螺子止めする。このとき、上下方向の調整は、木螺子１４，１４が挿着されるＬ型金具１３の孔が長孔１５，１５であるため、上下方向にＬ型金具１３をスライドさせるだけで、容易に調整することができる。
【００１７】
このようにしてキャビネット１１の所定位置にＬ型金具１３を固着した後、カウンタートップ１２をキャビネット１１の上部に載せる。このとき、カウンタートップ１２の裏面に突設されたリブ突条１８，１８がＬ字金具１３に載置されるので、各リブ突条１８の両方またはいずれか一方のリブ突条１８が上記長溝１６，１６の両方或はいずれか一方に乗っていれば、上記長溝１６および／または１６の下方から木螺子１７，１７を挿通しこれを緊締することで、上記リブ突条１８，１８がＬ字金具１３の水平面部１３ａに固定される。勿論、上記長溝１６をリブ突条１８，１８が跨いだ状態で載置されている場合でも、図２に示すように、該リブ突条１８，１８間に木螺子１７を挿通しこれを緊締することで、上記リブ突条１８，１８をＬ字金具１３の水平面部１３ａに固定することもできる。
【００１８】
この形態例に係るカウンタートップ１２の固定構造は，以上のように，カウンタートップ１２の長手方向下面に２条のリブ突条１８，１８を突設し，これらリブ突条１８，１８間に上記Ｌ字金具１３の長溝１６に螺装された木螺子１７を挿通しこれを緊締するように構成したので，カウンタートップ１２の裏側に補強用及び取付固定用の裏板を貼着する必要もなくなるため，カウンタートップ１２の製造が容易となり，しかも，分別回収の可能であると共に，カウンタートップ１２の重量を軽減し，かつ，コストを低減することができ，しかも，この種の固定作業を容易に行うことができる。
【００１９】
また、この形態例に係るカウンタートップ１２の固定構造にあっては、Ｌ型金具１３がキャビネットの表側から見えないので、製品の外観品質を向上させることもできる。
【００２０】
尚、この発明は、図示の形態例に限定されるものではなく、上記長孔１６とリブ１８の数も図示の形態例に限定されるものではなく、任意に設定することができる。
【００２１】
【発明の効果】
この発明に係るカウンタートップの固定構造は，以上説明したように構成したので，極めて簡単，かつ，容易にキャビネットとカウンタートップとを固定することができる，という優れた効果を奏する。
【図面の簡単な説明】
【図１】この発明の実施の一形態例に係るカウンタートップの固定構造を示す要部分解斜視図である。
【図２】同固定構造の要部拡大断面図である。
【図３】従来のカウンタートップの固定方法を示す要部断面図である。
【図４】従来のカウンタートップの固定方法の他例を示す要部断面図である。
【図５】従来のカウンタートップの固定方法のさらに他例を示す要部断面図である。
【符号の説明】
１１  キャビネット
１２  カウンタートップ
１３  Ｌ型金具
１４，１７  木螺子
１６  長溝
１８  リブ突条
【図１】
0003690770.tif 000002
【図２】
0003690770.tif 000003
【図３】
0003690770.tif 000004
【図４】
0003690770.tif 000005
【図５】
0003690770.tif 000006